(57)【要約】【課題】  マニュアルによる撮影設定で画像を取得する一方で、撮影失敗のリスクを軽減する手段を提供する。【解決手段】  撮像装置は、被写体の像を撮影する撮像部と、画像処理部と、被写体情報取得部と、撮影設定の手動入力を受け付ける操作部と、演算部と、制御部とを備える。画像処理部は、撮像部の出力に画像処理を施して画像のデータを生成する。被写体情報取得部は、被写体情報を取得する。演算部は、被写体情報を用いて撮影設定を求める。制御部は、撮影制御と画像データ生成処理との少なくとも一方の処理を実行する。撮影制御では、手動入力で設定された第１撮影設定および演算部が設定した第２撮影設定をそれぞれ適用して撮影が行われる。画像データ生成処理では、第１撮影設定および第２撮影設定をそれぞれ適用して画像処理が行われる。【選択図】  図１
2011160335.tif 000002
【特許請求の範囲】
【請求項１】
被写体の像を撮影する撮像部と、
前記撮像部の出力に画像処理を施して画像のデータを生成する画像処理部と、
被写体情報を取得する被写体情報取得部と、
撮影設定の手動入力を受け付ける操作部と、
前記被写体情報を用いて前記撮影設定を求める演算部と、
前記手動入力で設定された第１撮影設定および前記演算部が設定した第２撮影設定をそれぞれ適用して前記撮影を行う撮影制御と、前記第１撮影設定および前記第２撮影設定をそれぞれ適用して前記画像処理を行う画像データ生成処理との少なくとも一方の処理を実行する制御部と、
を備える撮像装置。
【請求項２】
請求項１に記載の撮像装置において、
露光制御と焦点調節との少なくとも一方に関する条件が前記撮影設定として手動入力されたとき、前記制御部は、前記撮影制御で２回の撮影を実行して、前記第１撮影設定に基づく第１画像と前記第２撮影設定に基づく第２画像とを取得し、
画像処理に関する条件が前記撮影設定として手動入力されるとともに、露光制御および焦点調節に関する条件が前記撮影設定として手動入力されなかったとき、前記制御部は、前記画像データ生成処理によって、１回の撮影で得られた画像のデータから前記第１画像と前記第２画像とを取得する撮像装置。
【請求項３】
請求項１に記載の撮像装置において、
露光制御と焦点調節との少なくとも一方に関する条件が前記撮影設定として手動入力されたとき、前記制御部は、前記撮影制御で２回の撮影を実行して、前記第１撮影設定に基づく第１画像と前記第２撮影設定に基づく第２画像とを取得する撮像装置。
【請求項４】
請求項１に記載の撮像装置において、
画像処理に関する条件が前記撮影設定として手動入力されたとき、前記制御部は、前記画像データ生成処理によって、１回の撮影で得られた画像のデータから前記第１撮影設定に基づく第１画像と前記第２撮影設定に基づく第２画像とを取得する撮像装置。
【請求項５】
請求項２または請求項３に記載の撮像装置において、
前記制御部は、前記第１撮影設定を用いた撮影と、前記第２撮影設定を用いた撮影との撮影順を変更可能である撮像装置。
【請求項６】
請求項５に記載の撮像装置において、
ユーザの撮影技量を判定する判定部をさらに備え、
前記制御部は、前記判定部の判定結果に応じて、前記第１撮影設定を用いた撮影と、前記第２撮影設定を用いた撮影との撮影順を変更する撮像装置。
【請求項７】
請求項１から請求項６のいずれか１項に記載の撮像装置において、
前記第１撮影設定に基づいて取得された画像と前記第２撮影設定に基づいて取得された画像とを対比可能に表示する表示部をさらに備える撮像装置。
【請求項８】
請求項１から請求項６のいずれか１項に記載の撮像装置において、
前記第１撮影設定の情報と前記第２撮影設定の情報とを対比可能に表示する表示部をさらに備える撮像装置。
【発明の詳細な説明】
【技術分野】
【０００１】
本発明は、撮像装置に関する。
【背景技術】
【０００２】
電子カメラでの撮影において、露光制御、焦点検出、画像処理などの設定を含む撮影設定の決定は、写真の良否を決定する上で重要な要因となっている。例えば、特許文献１には、撮像感度およびフラッシュの撮影設定を変更して２枚の画像を撮影し、失敗の少ない画像を取得するカメラの構成が開示されている。
【先行技術文献】
【特許文献】
【０００３】
【特許文献１】特開２００７−２６６９２６号公報
【発明の概要】
【発明が解決しようとする課題】
【０００４】
ところで、初心者のユーザにとって、撮影設定を自ら考えてマニュアルで撮影を行う場合は撮影失敗のリスクが大きくなる。そのため、マニュアルによる撮影設定で画像を取得する一方で、撮影失敗のリスクを軽減する手段が要請されていた。
【課題を解決するための手段】
【０００５】
上記課題を解決するための一の態様としての撮像装置は、被写体の像を撮影する撮像部と、画像処理部と、被写体情報取得部と、撮影設定の手動入力を受け付ける操作部と、演算部と、制御部とを備える。画像処理部は、撮像部の出力に画像処理を施して画像のデータを生成する。被写体情報取得部は、被写体情報を取得する。演算部は、被写体情報を用いて撮影設定を求める。制御部は、撮影制御と画像データ生成処理との少なくとも一方の処理を実行する。撮影制御では、手動入力で設定された第１撮影設定および演算部が設定した第２撮影設定をそれぞれ適用して撮影が行われる。画像データ生成処理では、第１撮影設定および第２撮影設定をそれぞれ適用して画像処理が行われる。
【０００６】
上記の一の態様において、露光制御と焦点調節との少なくとも一方に関する条件が撮影設定として手動入力されたとき、制御部は、撮影制御で２回の撮影を実行して、第１撮影設定に基づく第１画像と第２撮影設定に基づく第２画像とを取得してもよい。また、画像処理に関する条件が撮影設定として手動入力されるとともに、露光制御および焦点調節に関する条件が撮影設定として手動入力されなかったとき、制御部は、画像データ生成処理によって、１回の撮影で得られた画像のデータから第１画像と第２画像とを取得してもよい。
【０００７】
上記の一の態様において、露光制御と焦点調節との少なくとも一方に関する条件が撮影設定として手動入力されたとき、制御部は、撮影制御で２回の撮影を実行して、第１撮影設定に基づく第１画像と第２撮影設定に基づく第２画像とを取得してもよい。
【０００８】
上記の一の態様において、画像処理に関する条件が撮影設定として手動入力されたとき、制御部は、画像データ生成処理によって、１回の撮影で得られた画像のデータから第１撮影設定に基づく第１画像と第２撮影設定に基づく第２画像とを取得してもよい。
【０００９】
上記の一の態様において、制御部は、第１撮影設定を用いた撮影と、第２撮影設定を用いた撮影との撮影順を変更可能としてもよい。また、上記の一の態様の撮像装置は、ユーザの撮影技量を判定する判定部をさらに備えていてもよい。そして、制御部は、判定部の判定結果に応じて、第１撮影設定を用いた撮影と、第２撮影設定を用いた撮影との撮影順を変更してもよい。
【００１０】
上記の一の態様の撮像装置は、第１撮影設定に基づいて取得された画像と第２撮影設定に基づいて取得された画像とを対比可能に表示する表示部をさらに備えていてもよい。
【００１１】
上記の一の態様の撮像装置は、第１撮影設定の情報と第２撮影設定の情報とを対比可能に表示する表示部をさらに備えていてもよい。
【発明の効果】
【００１２】
手動入力で設定された第１撮影設定と、被写体情報を用いた演算で求められた第２撮影設定とでそれぞれ画像を取得し、マニュアルによる撮影設定で画像を取得する一方で、撮影失敗のリスクを軽減する。
【図面の簡単な説明】
【００１３】
【図１】本実施形態の電子カメラの構成例を示すブロック図
【図２】メニュー画面の表示例を示す図
【図３】「オート／マニュアル同時撮影モード」での撮影動作例を示す流れ図
【図４】Ｓ１２０での表示部の画像表示例を示す図
【図５】第１撮影設定の情報と第２撮影設定の情報との対比表示の例を示す図
【発明を実施するための形態】
【００１４】
図１は、本実施形態の電子カメラの構成例を示すブロック図である。本実施形態での電子カメラは、撮影モードの１つとして、ユーザの手動入力で設定された第１撮影設定と、電子カメラにより自動的に設定された第２撮影設定とを用いて２枚分の画像を生成する「オート／マニュアル同時撮影モード」を有している。なお、本実施形態では、レンズ交換式の一眼レフレックス型の例を説明する。
【００１５】
電子カメラは、レンズ駆動部１１、絞り駆動部１２、メカニカルシャッタ１３およびシャッタ駆動部１４、オートフォーカス（ＡＦ）モジュール１５、測光センサ１６、閃光発光部１７、撮像素子１８、信号処理部１９、画像処理回路２０、第１メモリ２１、第２メモリ２２、記録Ｉ／Ｆ２３、操作部２４、表示部２５および制御部２６を有している。ここで、レンズ駆動部１１、絞り駆動部１２、シャッタ駆動部１４、ＡＦモジュール１５、測光センサ１６、閃光発光部１７、撮像素子１８、信号処理部１９、画像処理回路２０、第１メモリ２１、第２メモリ２２、記録Ｉ／Ｆ２３、操作部２４、表示部２５は、それぞれ制御部２６と接続されている。
【００１６】
また、電子カメラには、不図示のレンズマウントを介してレンズユニット３１が着脱自在に装着されている。レンズユニット３１は、フォーカスレンズ３２ａを含む撮影光学系３２と、絞り３３とを有している。
【００１７】
撮影光学系３２のフォーカスレンズ３２ａは、焦点調節を行うためのレンズである。このフォーカスレンズ３２ａのレンズ位置は、制御部２６の指示に応じてレンズ駆動部１１が光軸方向に調整する。また、絞り３３は、撮像素子１８に入射する単位時間当たりの光量を調節する。この絞り３３の開口量は、制御部２６の指示に応じて絞り駆動部１２が調整する。
【００１８】
メカニカルシャッタ１３は、シャッタ羽根（先幕および後幕）の駆動によって、撮像素子１８の遮光状態および露光状態を制御する。例えば、メカニカルシャッタ１３は、後述の本画像の撮影時には先幕および後幕の走行間隔を変更することで撮像素子１８の露光時間を調整する。なお、メカニカルシャッタ１３のシャッタ羽根は、制御部２６の指示に応じてシャッタ駆動部１４が駆動させる。
【００１９】
ＡＦモジュール１５は、撮影光学系３２を通過した一部の光束をセパレータレンズで分割し、撮影画面内に設定されたＡＦエリアにおける被写体の像ズレ量を検出する。なお、上記のＡＦエリアは撮影画面内に複数設定されており、ＡＦモジュール１５は各ＡＦエリアでそれぞれ被写体の像ズレ量を検出する。また、測光センサ１６は、撮影光学系３２を通過した光束を用いて撮影画面内の被写体を分割測光するセンサである。
【００２０】
閃光発光部１７は、撮影時に被写体を照射するユニットである。例えば、閃光発光部１７は、キセノン発光管、メインコンデンサ、反射傘などを含んでいる。
【００２１】
撮像素子１８は、撮像光学系によって結像される被写体の像を撮影（撮像）し、カラーの撮影画像の画像信号を生成する。なお、撮像素子１８から出力された画像信号は、信号処理部１９へパイプライン式に入力される。
【００２２】
ここで、電子カメラの撮影モードにおいて、撮像素子１８は、ユーザの撮影指示（例えば、レリーズ釦の全押し操作）に応答して、記録用の静止画像（本画像）を撮像する。
【００２３】
信号処理部１９は、入力される画像信号に対して、アナログ信号処理、Ａ／Ｄ変換処理、デジタル信号処理を順次施す回路である。この信号処理部１９の出力は画像処理回路２０に接続される。なお、制御部２６は、信号処理部１９において画像信号に対するゲインの値を調整することで、ＩＳＯ感度に相当する撮像感度を調整できる。
【００２４】
画像処理回路２０は、信号処理部１９から出力された１フレーム分の画像信号に各種画像処理（色補間処理、階調変換処理、コントラスト強調処理、ホワイトバランス調整、色変換処理、彩度調整処理など）を施して、画像のデータを生成する。
【００２５】
第１メモリ２１は、画像処理回路２０による画像処理の前工程や後工程でデータを一時的に記憶するバッファメモリである。この第１メモリ２１は揮発性の記憶媒体であるＳＤＲＡＭにより構成される。
【００２６】
第２メモリ２２は、フラッシュメモリ等の不揮発性の記憶媒体で構成される。この第２メモリ２２には、制御部２６によって実行されるプログラムや、電子カメラの設定情報が記憶されている。なお、上記のプログラムによる「オート／マニュアル同時撮影モード」での動作例については後述する。
【００２７】
記録Ｉ／Ｆ２３は、不揮発性の記憶媒体２７を接続するためのコネクタを有している。そして、記録Ｉ／Ｆ２３は、コネクタに接続された記憶媒体２７に対してデータの書き込み／読み込みを実行する。上記の記憶媒体２７は、ハードディスクや、半導体メモリを内蔵したメモリカードなどで構成される。なお、図１では記憶媒体２７の一例としてメモリカードを図示する。
【００２８】
操作部２４は、ユーザからの各種入力を受け付ける。例えば、本実施形態の操作部２４材には、レリーズ釦、十字キー、決定釦が含まれる。レリーズ釦は、半押し操作による撮影前のＡＦ動作開始の指示入力と、全押し操作による撮像動作開始の指示入力とをユーザから受け付ける。また、十字キーおよび決定釦は、本画像撮影時における撮影設定の手動入力をユーザから受け付ける。
【００２９】
表示部２５は、制御部２６の指示に応じて各種画像を表示する。例えば、表示部２５は、制御部２６の制御により上記の本画像の再生表示を行う。また、表示部２５は、制御部２６の制御により、各種の設定項目の入力を受け付けるメニュー画面を表示する。なお、本実施形態の表示部２５は、例えば、電子カメラの筐体背面に配置された液晶表示パネルで構成される。
【００３０】
制御部２６は、電子カメラの動作を統括的に制御するプロセッサである。この制御部２６は、第２メモリ２２に格納されたプログラムの実行により、演算部２８および判定部２９として機能する。
【００３１】
演算部２８は、被写体を測光して得た被写体情報を用いて撮影設定を求める。例えば、演算部２８は、ＡＦモジュール１５から得たＡＦエリアでの像ズレ量に基づいてフォーカスレンズ３２ａの焦点調節を行う。また、演算部２８は、測光センサ１６の出力を用いて公知の露出演算を実行し、露光制御に関する条件（絞り値、シャッタ秒時、撮像感度）を設定する。また、演算部２８は、必要に応じて閃光発光部１７を予備発光させて被写体の輝度情報を取得し、露光制御に関する条件の１つとして閃光発光部１７の発光条件を求める。
【００３２】
また、演算部２８は、測光センサ１６の出力を用いて撮影したシーンを推定し、このシーンの推定結果に基づいて画像処理に関する撮影設定を調整する。例えば、演算部２８は、シーンの推定結果に基づいて、本画像のホワイトバランス補正、階調変換特性、コントラスト調整、色変換特性、彩度調整などの条件を調整する。なお、測光センサ１６の出力によるシーンの推定は、例えば、公知の教師付き学習処理によって実現することが可能である。
【００３３】
判定部２９は、撮影された画像を解析してユーザの撮影技量を判定する。例えば、判定部２９は、以下の（Ａ）から（Ｃ）のいずれかの処理で撮影技量の判定を行えばよい。なお、制御部２６は、撮影技量の判定結果に基づいて、「オート／マニュアル同時撮影モード」で２回撮影を行うときの撮影順を決定することができる。
【００３４】
（Ａ）判定部２９は、撮影された本画像の輝度分布を用いて、輝度分布における高輝度領域および低輝度領域の割合によって撮影技量を判定する。具体的には、判定部２９は、下式（１）によって、ユーザの撮影技量を示す判定値Ｈを求める。
Ｈ＝（Ｐｔ−（Ｈｈ＋Ｈｌ））／Ｐｔ    …（１）
上記の式（１）において、「Ｐｔ」は本画像の総画素数を示す。「Ｈｈ」は本画像の輝度分布で高輝度領域（例えば階調範囲の上側１０％の領域）に属する画素数を示し、「Ｈｌ」は本画像の輝度分布で低輝度領域（例えば階調範囲の下側１０％の領域）に属する画素数を示す。よって、上記の判定値Ｈは、画像の被写体が適正露出から離れるほど低い値となる。例えば、暗いシーンの撮影では低輝度領域に属する画素を少なくすれば判定値Ｈは高くなり、明るいシーンの撮影では高輝度領域に属する画素を少なくすれば判定値Ｈは高くなる。
【００３５】
（Ｂ）判定部２９は、撮影された本画像に対して公知の空間周波数解析（フーリエ変換等）を行うとともに、解析で求めた空間周波数成分に基づいて撮影技量を判定してもよい。
【００３６】
例えば、判定部２９は、周波数成分毎のパワーの合計である判定値Ｆを求める。そして、判定部２９は、上記の判定値Ｆが大きくなるほど画像のぼけ具合が少なく、ユーザの撮影技量が高いと判定する。あるいは、判定部２９は、ある一定の周波数より高い周波数成分毎のパワーの合計である判定値Ｊを求める。そして、判定部２９は、上記の判定値Ｊが大きくなるほど画像にノイズが多く含まれることから、ユーザの撮影技量が低いと判定する。
【００３７】
（Ｃ）判定部２９は、「オート／マニュアル同時撮影モード」で取得した２つの画像を解析してユーザの撮影技量を判定してもよい。具体的には、判定部２９は、下式（２）によって、ユーザの撮影技量を示す評価値Ｉを求める。
Ｉ＝ｋｈ（Ｈm−Ｈa）＋ｋｆ（Ｆm−Ｆa）＋ｋｌ（Ｊa−Ｊm）    …（２）
上記の式（２）において、「Ｈm，Ｆm，Ｊm」は、第１撮影設定で取得された画像から求めた判定値Ｈ、Ｆ、Ｊをそれぞれ示す。「Ｈa，Ｆa，Ｊa」は、第２撮影設定で取得された画像から求めた判定値Ｈ、Ｆ、Ｊをそれぞれ示す。これらの判定値は、上記の（Ａ）および（Ｂ）と同様の処理で判定部２９が求めればよい。また、上記の式（２）で「ｋｈ，ｋｆ，ｋｌ」は各判定値の重み付け係数である。なお、判定部２９は、評価値Ｉの値が大きくなるほど、マニュアルの撮影設定で撮影された画像が良好であって、ユーザの撮影技量が高いと判定する。
【００３８】
なお、判定部２９は、上記（Ｃ）の処理において、評価値Ｉが所定の閾値を超える場合に、ユーザの撮影技量が高いと判定してもよい。
【００３９】
また、判定部２９は、「オート／マニュアル同時撮影モード」で画像が生成されるごとに上記の評価値Ｉを求めるとともに、評価値Ｉが所定の閾値を超える撮影を一定の頻度で行っている場合に、ユーザの撮影技量が高いと判定するようにしてもよい。
【００４０】
次に、本実施形態の電子カメラにおける「オート／マニュアル同時撮影モード」での動作例を説明する。
【００４１】
本実施形態での「オート／マニュアル同時撮影モード」は、撮影設定を演算部２８が自動的に設定する「オート撮影モード」のサブモードであって、ユーザの以下の操作に応じて制御部２６が実行する。
【００４２】
まず、制御部２６は、撮影モードが「オート撮影モード」に設定された状態で、設定変更入力を受け付けると、図２に示すメニュー画面を表示部２５に表示する。このメニュー画面が表示された状態において、「オート／マニュアル同時撮影モード」をオンにする入力を受け付けると、制御部２６は「オート／マニュアル同時撮影モード」の処理を開始する。
【００４３】
また、上記のメニュー画面では、制御部２６は、「撮影順の設定」および「設定のリセット」の入力を受け付けることができる。
【００４４】
「撮影順の設定」は、「オート／マニュアル同時撮影モード」で２回撮影を行うときに、第１撮影設定（マニュアル）の撮影と第２撮影設定（オート）の撮影との撮影順を変更するための項目である。具体的には、制御部２６は、「撮影順の設定」の項目において、「マニュアル優先」、「オート優先」、「技術レベル」の３種類の入力を受け付ける。
【００４５】
「マニュアル優先」が選択された場合、制御部２６は、「オート／マニュアル同時撮影モード」で２回撮影を行うときに、第１撮影設定での撮影を先に行う。「オート優先」が選択された場合、制御部２６は、「オート／マニュアル同時撮影モード」で２回撮影を行うときに、第２撮影設定での撮影を先に行う。また、「技術レベル」が選択された場合、制御部２６は、「オート／マニュアル同時撮影モード」で２回撮影を行うときに、上記の判定部２９の判定結果に応じて撮影順を変更する。すなわち、ユーザの撮影技量が一定水準以上であると判定部２９が判定したときに、制御部２６は第１撮影設定での撮影を先に行う。また、ユーザの撮影技量が一定水準に満たないと判定部２９が判定したときに、制御部２６は第２撮影設定での撮影を先に行う。
【００４６】
また、「設定のリセット」は、「オート／マニュアル同時撮影モード」に関する設定をデフォルトの状態に戻すための項目である。上記のメニュー画面での設定情報や、判定部２９での判定結果の情報は、制御部２６の制御によって第２メモリ２２に記憶されるが、「設定のリセット」が選択された場合、制御部２６は、上記の情報を第２メモリ２２から消去する。
【００４７】
次に、図３の流れ図を参照しつつ、「オート／マニュアル同時撮影モード」での電子カメラの撮影動作を説明する。この図３の流れ図の処理は、上記のメニュー画面で「オート／マニュアル同時撮影モード」をオンにする入力に応じて、制御部２６が開始する。
【００４８】
ステップＳ１０１：制御部２６は、ユーザから撮影設定の手動入力を受け付ける。このＳ１０１において、ユーザは、撮影設定として、露光制御に関する条件（絞り値、シャッタ秒時、撮像感度、閃光発光部１７の発光量（全発光、１／２発光、１／４発光、…、発光なし））や、焦点調節の条件（ＡＦエリアの選択）や、画像処理の条件（ホワイトバランスの光源の選択、階調変換特性の選択、コントラスト調整の値、色変換特性の選択、彩度調整の値）を設定することができる。
【００４９】
ステップＳ１０２：制御部２６は、レリーズ釦が半押しされたか否かを判定する。上記要件を満たす場合（ＹＥＳ側）にはＳ１０３に処理が移行する。一方、上記要件を満たさない場合（ＮＯ側）には制御部２６はＳ１０１に戻って上記動作を繰り返す。
【００５０】
ステップＳ１０３：制御部２６は、Ｓ１０１で手動入力された第１撮影設定の条件を第２メモリ２２に記録する。
【００５１】
ステップＳ１０４：演算部２８は、ＡＦモジュール１５の出力に基づいて焦点調節動作を実行する。これにより、演算部２８は、焦点調節に関する第２撮影設定の条件を取得できる。なお、Ｓ１０４で設定された焦点調節情報は、制御部２６の制御によって第２メモリ２２に記録される。
【００５２】
ステップＳ１０５：演算部２８は、測光センサ１６の出力に基づいて、露出演算と、シーン推定による画像処理の条件の決定とを行う。これにより、演算部２８は、露光制御に関する第２撮影設定の条件と、画像処理に関する第２撮影設定の条件とをそれぞれ取得できる。なお、Ｓ１０５で設定された各条件は、制御部２６の制御によって第２メモリ２２に記録される。
【００５３】
ステップＳ１０６：制御部２６は、レリーズ釦が全押しされたか否かを判定する。上記要件を満たす場合（ＹＥＳ側）にはＳ１０７に処理が移行する。一方、上記要件を満たさない場合（ＮＯ側）には、制御部２６はＳ１０５に戻って上記動作を繰り返す。
【００５４】
ステップＳ１０７：制御部２６は、第１撮影設定での撮影を先に行う設定であるか否かを判定する。具体的には、制御部２６は、「撮影順の設定」が「マニュアル優先」に設定されている場合、または「技術レベル」が選択された状態でユーザの撮影技量が一定水準以上であると判定部２９が判定した場合には、第１撮影設定での撮影を先に行うと判定する。
【００５５】
上記要件を満たす場合（ＹＥＳ側）にはＳ１０８に処理が移行する。一方、上記要件を満たさない場合（ＮＯ側）にはＳ１１３に処理が移行する。
【００５６】
ステップＳ１０８：制御部２６は、第１撮影設定による焦点調節および露光制御の条件を適用して１回目の本画像の撮影制御を実行する。
【００５７】
ステップＳ１０９：制御部２６は、第１撮影設定と第２撮影設定とで焦点調節および露光制御の条件が同じか否かを判定する。上記要件を満たす場合（ＹＥＳ側）にはＳ１１０に処理が移行する。なお、Ｓ１０９のＹＥＳ側の場合は、画像処理に関する条件が撮影設定として手動入力されるとともに、露光制御および焦点調節に関する条件が撮影設定として手動入力されなかったケースに相当する。
【００５８】
一方、上記要件を満たさない場合（ＮＯ側）にはＳ１１１に処理が移行する。なお、Ｓ１０９のＮＯ側の場合は、露光制御と焦点調節との少なくとも一方に関する条件が撮影設定として手動入力されたケースに相当する。
【００５９】
ステップＳ１１０：この場合は、第１撮影設定と第２撮影設定とで焦点調節および露光制御の条件が同じである。そのため、画像処理回路２０は、制御部２６の制御により、１回の撮影で得られた本画像のデータ（Ｓ１０８）に対して異なる画像処理を施すことで２種類の画像のデータを生成する。
【００６０】
具体的には、Ｓ１１０での画像処理回路２０は、第１撮影設定による画像処理の条件を適用して第１画像のデータを生成するとともに、第２撮影設定による画像処理の条件を適用して第２画像のデータを生成する。その後、Ｓ１１８に処理が移行する。
【００６１】
ステップＳ１１１：この場合は、第１撮影設定と第２撮影設定とで焦点調節および露光制御の条件が相違する。そのため、制御部２６は、第２撮影設定による焦点調節および露光制御の条件を適用して２回目の本画像の撮影制御を実行する。
【００６２】
ステップＳ１１２：画像処理回路２０は、１回目の撮影で取得した本画像のデータ（Ｓ１０８）に対して、第１撮影設定による画像処理の条件を適用して第１画像のデータを生成する。
【００６３】
また、画像処理回路２０は、２回目の撮影で取得した本画像のデータ（Ｓ１１１）に対して、第２撮影設定による画像処理の条件を適用して第２画像のデータを生成する。その後、Ｓ１１８に処理が移行する。
【００６４】
ステップＳ１１３：制御部２６は、第２撮影設定による焦点調節および露光制御の条件を適用して１回目の本画像の撮影制御を実行する。
【００６５】
ステップＳ１１４：制御部２６は、第１撮影設定と第２撮影設定とで焦点調節および露光制御の条件が同じか否かを判定する。上記要件を満たす場合（ＹＥＳ側）にはＳ１１５に処理が移行する。なお、Ｓ１１４のＹＥＳ側の場合は、画像処理に関する条件が撮影設定として手動入力されるとともに、露光制御および焦点調節に関する条件が撮影設定として手動入力されなかったケースに相当する。
【００６６】
一方、上記要件を満たさない場合（ＮＯ側）にはＳ１１６に処理が移行する。なお、Ｓ１１４のＮＯ側の場合は、露光制御と焦点調節との少なくとも一方に関する条件が撮影設定として手動入力されたケースに相当する。
【００６７】
ステップＳ１１５：この場合は、第１撮影設定と第２撮影設定とで焦点調節および露光制御の条件が同じである。そのため、画像処理回路２０は、制御部２６の制御により、１回の撮影で得られた本画像のデータ（Ｓ１１３）に対して異なる画像処理を施すことで２種類の画像のデータを生成する。
【００６８】
具体的には、Ｓ１１５での画像処理回路２０は、第１撮影設定による画像処理の条件を適用して第１画像のデータを生成するとともに、第２撮影設定による画像処理の条件を適用して第２画像のデータを生成する。その後、Ｓ１１８に処理が移行する。
【００６９】
ステップＳ１１６：この場合は、第１撮影設定と第２撮影設定とで焦点調節および露光制御の条件が相違する。そのため、制御部２６は、第１撮影設定による焦点調節および露光制御の条件を適用して２回目の本画像の撮影制御を実行する。
【００７０】
ステップＳ１１７：画像処理回路２０は、１回目の撮影で取得した本画像のデータ（Ｓ１１３）に対して、第２撮影設定による画像処理の条件を適用して第２画像のデータを生成する。また、画像処理回路２０は、２回目の撮影で取得した本画像のデータ（Ｓ１１６）に対して、第１撮影設定による画像処理の条件を適用して第１画像のデータを生成する。
【００７１】
ステップＳ１１８：制御部２６は、記録Ｉ／Ｆ２３を介して、第１画像のデータおよび第２画像のデータを記憶媒体２７に記録する。
【００７２】
ここで、Ｓ１１８の制御部２６は、第１画像のデータおよび第２画像のデータを１つの画像ファイルに記録してもよい。この場合、制御部２６は、マルチピクチャーフォーマットの規格に準拠して画像ファイルを生成してもよい。１つの画像ファイルに２つの画像のデータを記録する場合、制御部２６は、メニュー画面でユーザが指定した撮影設定に基づく画像を１番目の画像とし、他の撮影設定に基づく画像を２番目の画像とする。あるいは、１つの画像ファイルに２つの画像のデータを記録する場合、制御部２６は、ユーザの撮影意図をより強く反映した第１撮影設定に基づく画像を１番目の画像とし、第２撮影設定に基づく画像を２番目の画像としてもよい。
【００７３】
また、Ｓ１１８の制御部２６は、第１画像のデータおよび第２画像のデータをそれぞれ別の画像ファイルに記録してもよい。このとき、制御部２６は、２つの画像ファイルを連番で記録するとともに、２つの画像ファイルを関連付ける処理を実行する。例えば、制御部２６は、ＤＣＦ(Design rule for Camera File system)規格に準拠して、第１画像の画像ファイル名と比べて１文字のみ異なるファイル名を第２画像の画像ファイルに付与することで、画像ファイル間の関連づけを行う。あるいは、制御部２６は、各画像ファイルに、異なる撮影設定で取得された画像ファイル名（あるいはファイルのパス）を示すメタデータを記録することで、画像ファイル間の関連づけを行ってもよい。
【００７４】
なお、本実施形態では、第１撮影設定と第２撮影設定とがすべて同じ場合でも、制御部２６は第１画像のデータおよび第２画像のデータを生成するものとする。
【００７５】
ステップＳ１１９：制御部２６は、連写撮影を行うか否かを判定する。一例として、制御部２６は、連写撮影の設定がなされている状態で、レリーズ釦の全押しが継続している場合に、連写撮影を行うと判定する。
【００７６】
上記要件を満たす場合（ＹＥＳ側）には、制御部２６はＳ１０７に戻って上記動作を繰り返す。一方、上記要件を満たさない場合（ＮＯ側）には、Ｓ１２０に処理が移行する。
【００７７】
ステップＳ１２０：制御部２６は、第１撮影設定に基づいて取得された第１画像と、第２撮影設定に基づいて取得された第２画像とを表示部２５に対比可能に表示させる。
【００７８】
図４は、Ｓ１２０での表示部２５の画像表示例を示す図である。表示部２５は、制御部２６の制御により、１画面を左右に分割するセパレータのアイコンを中心として画面左側に第１画像を部分表示し、画面右側に第２画像を部分表示する。また、図４において、表示部２５の第１画像の表示領域には、制御部２６の制御により第１画像のヒストグラムが重畳表示される。同様に、表示部２５の第２画像の表示領域には、制御部２６の制御により第２画像のヒストグラムが重畳表示される。
【００７９】
そして、制御部２６は、セパレータのアイコンの移動操作を受け付けると、表示部２５のセパレータを左右に移動させて、第１画像および第２画像の表示比率を変更する。なお、セパレータのアイコンが画面左端にある状態では、制御部２６は第２画像の全体を表示部２５に表示させるとともに、第１画像を表示しない制御を行う。また、セパレータのアイコンが画面右端にある状態では、制御部２６は第１画像の全体を表示部２５に表示させるとともに、第２画像を表示しない制御を行う。これにより、ユーザは表示部２５で撮影後に第１画像および第２画像の出来映えを比較できる。
【００８０】
また、Ｓ１２０での制御部２６は、ユーザの操作に応じて、第１撮影設定の情報と第２撮影設定の情報とを対比可能に表示部２５に表示させてもよい。これにより、ユーザは撮影後にマニュアルの撮影設定とオートの撮影設定とを表示部２５で比較でき、より適切な撮影設定を検討することが容易となる。
【００８１】
図５は、第１撮影設定の情報と第２撮影設定の情報との対比表示の例を示す図である。図５の表示画面では、撮影設定の項目の例として、上から順に、絞り値、シャッタ秒時、撮像感度、ホワイトバランスのモード名が表示されている。また、上記の表示画面では、第１撮影設定の情報が左側に表示される一方で、第２撮影設定の情報が右側に表示される。また、上記の表示画面では、第１撮影設定と第２撮影設定とで設定が異なる項目は、色分け等の手段で強調表示される。図５の例では、絞り値および撮像感度の項目が強調表示された状態を示している。以上で、図３の流れ図の説明を終了する。
【００８２】
以下、本実施形態の電子カメラの作用効果を述べる。本実施形態の「オート／マニュアル同時撮影モード」では、ユーザがマニュアルで設定した第１撮影設定と、演算部２８が設定した第２撮影設定とを用いて電子カメラが２種類の画像を取得する。これにより、本実施形態の電子カメラでは、ユーザが自ら考えたマニュアルの撮影設定にミスがある場合にも、オートの撮影設定の画像を確保できるので、マニュアルの撮影設定による撮影失敗のリスクを軽減できる。
【００８３】
また、本実施形態の電子カメラでは、マニュアルの撮影設定による画像と、オートの撮影設定による画像とをユーザが比較することで、マニュアルの撮影設定の良否をユーザが判断することが容易となる。
【００８４】
＜実施形態の補足事項＞
（１）上記実施形態では、一眼レフレックス型の電子カメラでの構成例を説明した。しかし、本発明は、本画像を撮影する撮像素子で焦点調節や分割測光を行うコンパクト型の電子カメラについても当然に適用できる。
【００８５】
（２）上記実施形態の「オート／マニュアル同時撮影モード」では、露光制御、焦点調節、画像処理に関する撮影設定をマニュアルで設定する例を説明した。しかし、本発明は、「オート／マニュアル同時撮影モード」において露光制御または焦点調節の撮影設定のみをマニュアルで変更できる電子カメラや、「オート／マニュアル同時撮影モード」において画像処理の撮影設定のみをマニュアルで変更できる電子カメラにも適用することができる。
【００８６】
（３）上記実施形態のＳ１０６の処理において、制御部２６は、レリーズ釦が全押しされない場合（ＮＯ側）に、Ｓ１０４に戻って再度焦点調節を繰り返すようにしてもよい。
【００８７】
（４）上記実施形態では、演算部２８および判定部２９の機能をプログラムでソフトウエア的に実現する例を説明したが、これらの構成をＡＳＩＣによってハードウエア的に実現しても勿論かまわない。
【００８８】
以上の詳細な説明により、実施形態の特徴点および利点は明らかになるであろう。これは、特許請求の範囲が、その精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずであり、発明性を有する実施形態の範囲を前述したものに限定する意図はなく、実施形態に開示された範囲に含まれる適当な改良物および均等物によることも可能である。
【符号の説明】
【００８９】
１１…レンズ駆動部、１２…絞り駆動部、１３…メカニカルシャッタ、１４…シャッタ駆動部、１５…ＡＦモジュール、１６…測光センサ、１７…閃光発光部、１８…撮像素子、１９…信号処理部、２０…画像処理回路、２１…第１メモリ、２２…第２メモリ、２３…記録Ｉ／Ｆ、２４…操作部、２５…表示部、２６…制御部、２７…記憶媒体、２８…演算部、２９…判定部、３１…レンズユニット、３２…撮影光学系、３２ａ…フォーカスレンズ、３３…絞り
【図１】
2011160335.tif 000003
【図２】
2011160335.tif 000004
【図３】
2011160335.tif 000005
【図４】
2011160335.tif 000006
【図５】
2011160335.tif 000007